(57)【要約】【課題】  電極部を胸の所定の部分に圧迫感を与えることなく確実に電気的に接触させることができ、かつ、軽量の心拍検出装置を提供する。【解決手段】  心拍検出装置は１対の電極部４と送信部２と受信部とを備えている。送信部２は１対の電極部４のそれぞれとワイヤ３により電気的に接続されている。１対の電極部４のそれぞれは、身体に装着された衣類等の下部を挟み込んで電極部４を身体における所定の部位に保持しておくための電極本体部４ａとフック４ｂを有している。フック４ｂは、電極部４における表側の部分に形成されている。送信部２は、衣類等の上部を挟み込んで送信部２を衣類等に保持しておくための送信本体部２ａとフック２ｂを有している。フック２ｂは、送信部２における裏側の部分に形成されている。【選択図】        図１
2005065937.tif 000002
【特許請求の範囲】
【請求項１】
身体の所定の部位に電気的に接触させることにより、心拍に関する電位を検出するための１対の電極部と、
１対の前記電極部のそれぞれに設けられ、身体に装着された部材を挟み込んで前記電極部のそれぞれを身体における所定の部位に保持しておくための挟持部と、
１対の前記電極部により検出された電位に関する情報を心拍信号として送信するための送信部と、
１対の前記電極部のそれぞれと前記送信部とを接続するワイヤと、
前記送信部より送られた信号を受信する受信部と
を備えた、心拍検出装置。
【請求項２】
１対の前記電極部のそれぞれは、
身体の所定の部位に電気的に接触する電極本体部と、
前記電極本体部において身体に対向する側とは反対側に設けられたフックと
を含み、
前記電極本体部と前記フックとは、前記挟持部として身体に装着された部材を下方から挟持するように配設された、請求項１記載の心拍検出装置。
【請求項３】
身体に装着される部材としての装着ベルトと、
前記装着ベルトに設けられ、前記挟持部の一方を成す前記フックを受け入れて前記装着ベルトに１対の前記電極部のそれぞれを引っ掛けるためのフック挿入部と
を備えた、請求項２記載の心拍検出装置。
【請求項４】
１対の前記電極部のそれぞれは、身体に対向する側に配設された突起部を備えた、請求項１〜３のいずれかに記載の心拍検出装置。
【請求項５】
前記送信部は、身体に装着された部材を上方から挟持する他の挟持部を備えた、請求項１〜４のいずれかに記載の心拍検出装置。
【請求項６】
前記他の挟持部は首から掛けられたリング状の紐を引っ掛けておく機能を有する、請求項５記載の心拍検出装置。
【発明の詳細な説明】
【技術分野】
【０００１】
本発明は心拍検出装置に関し、特に、電極によって検出される心拍に関する信号を無線により別体の受信機へ送信する心拍検出装置に関するものである。
【背景技術】
【０００２】
従来、身体の胸に電気的に接触させた電極により検出された電位に関する情報を心拍信号として無線により受信機へ送り、送られたデータを表示したり、記憶等したりする心拍検出装置は、たとえば特許文献１に開示されている。
【０００３】
そこで、従来の心拍検出装置の一例としてその特許文献１に記載された心拍検出装置について説明する。図１１および図１２に示すように、心拍検出装置１０１では、胸に装着することができるように、電極と送信機が配設された所定のケーシング１０６の両端には、締め付けのためのベルト１０８が取り付けられている。
【０００４】
そのケーシング１０６は可塑性であり、図１３に示すように、装着した状態で胸と対向するケーシング１０６の内側に、胸の部分に電気的に接触する２つの電極１０４が互いに間隔を隔てて配設されている。その２つの電極１０４の間には、図１２に示すように、電極１０４と電気的に接続されて、電極１０４によって検出された信号を受信機（図示せず）へ送るための送信機１０２が配設されている。
【０００５】
ベルト１０８を締めてケーシング１０６をベルトの一部として胸に密着させることにより、２つの電極１０４がそれぞれ胸の異なる２箇所に電気的に接触して電位差が検出されることになる。検出された電位差は送信機１０２へ送られて、心拍に関する信号として受信機に向けて送信される。
【特許文献１】米国特許第５,４９１,４７４号
【発明の開示】
【発明が解決しようとする課題】
【０００６】
しかしながら、上述した従来の心拍検出装置１０１では次のような問題点があった。２つの電極１０４と、その電極１０４と比べて重い送信機１０２とが１つのケーシング１０６内に配設されるために、からだを動かす際にケーシング１０６も揺れやすくなり、ケーシング１０６が揺れると電極１０４もいっしょに揺れてしまうことになる。そのため、電極１０４の接触する位置が変動して正確な心拍に関する信号を検出することができないという問題があった。
【０００７】
また、可塑性のケーシング１０６が使用されているとはいえ、決して十分であるとはいえず、電極１０４を所定の部分に確実に接触させようとすると、ベルト１０８をある程度締め付けてケーシング１０６を胸の部分にかなり強く密着させる必要があり、そのために圧迫感を覚えることがあった。
【０００８】
本発明は上記問題点を解決するためになされたものであり、その目的は電極部を胸の所定の部分に圧迫感を与えることなく確実に電気的に接触させることができ、かつ、軽量の心拍検出装置を提供することである。
【課題を解決するための手段】
【０００９】
本発明に係る心拍検出装置は、１対の電極部と挟持部と送信部とワイヤと受信部とを備えている。１対の電極部は身体の所定の部位に電気的に接触させることにより、心拍に関する電位を検出する。挟持部は１対の電極部のそれぞれに設けられ、身体に装着された部材を挟み込んで電極部のそれぞれを身体における所定の部位に保持しておく。送信部は、１対の電極部により検出された電位に関する情報を心拍信号として送信する。ワイヤは１対の電極部のそれぞれと送信部とを接続する。受信部は送信部より送られた信号を受信する。
【００１０】
この構成によれば、挟持部によって身体に装着された部材を挟み込むことで、圧迫感を与えることなく１対の電極部を胸の所定の位置に保持することができる。しかも、送信部と各電極部とはワイヤを介して接続されて送信部と各電極部とが分離されていることによって、電極部に比べて重い送信部がたとえ動いたとしても、電極部が送信部に合わせて動くことはなく、１対の電極部を胸の所定の位置に確実に接触させることができる。また、電極部と送信部とを１つのケーシング内に配設する必要がないため、心拍検出装置の軽量化も図ることができる。
【００１１】
身体に装着された部材を挟み込むために、１対の前記電極部のそれぞれは、身体の所定の部位に電気的に接触する電極本体部と、電極本体部において身体に対向する側とは反対側に設けられたフックとを含み、電極本体部とフックとは、挟持部として身体に装着された部材を下方から挟持するように配設されていることが望ましい。
【００１２】
これにより、身体に装着される部材として、たとえばスポーツブラジャーのような衣類を着用している場合には、挟持部によってスポーツブラジャーの下部部分を挟み込んで、電極部をスポーツブラジャーに保持することができる。
【００１３】
また、身体に装着される部材としての装着ベルトと、装着ベルトに設けられ、挟持部の一方を成すフックを受け入れて装着ベルトに１対の電極部のそれぞれを引っ掛けるためのフック挿入部とを備えていることもよい。
【００１４】
この場合には、電極部を装着ベルトに装着する際に、挟持部によって装着ベルトの下部部分を挟み込むとともに、フックをフック挿入部に挿入することで、装着ベルトを胸の周りに巻き付けることによって、上述したスポーツブラジャー以外のスポーツシャツ等を着用している場合でも、圧迫感なく１対の電極部を身体における所定の部位に容易に保持しておくことができる。
【００１５】
さらに、１対の電極部のそれぞれは、身体に対向する側に配設された突起部を備えていることが望ましい。
【００１６】
これにより、電極部が身体に対してすべることが抑制されて、電極部を胸の所定の位置により確実に接触させることができる。
【００１７】
一方、送信部は、身体に装着された部材を上方から挟持する他の挟持部を備えていることが望ましい。
【００１８】
これにより、他の挟持部によって身体に装着された部材の上部部分を挟み込んで、送信部をその部材に容易に保持しておくことができる。
【００１９】
また、他の挟持部は首から掛けられたリング状の紐を引っ掛けておく機能を有していることが望ましい。
【００２０】
これにより、電極部に比べて重い送信部が動いた場合でも送信部が身体に装着された部材から外れて落ちるのを阻止することができる。
【発明を実施するための最良の形態】
【００２１】
（実施例１）
本発明の実施例１に係る心拍検出装置について説明する。図１および図２に示すように、心拍検出装置１は、１対の電極部４と送信部２と受信部６（図７参照）とを備えている。１対の電極部４では、身体の心拍に関する所定の電位が検出される。送信部２は１対の電極部４のそれぞれとワイヤ（コード）３により電気的に接続されて、１対の電極部４により検出された電位に関する情報を心拍信号として、たとえば腕に装着された受信機６に向けて送信する。
【００２２】
その１対の電極部４のそれぞれは、図３に示すように、身体に装着された衣類等１２の下部を挟み込んで電極部４を身体における所定の部位に保持しておく挟持部としての電極本体部４ａとフック４ｂを有している。フック４ｂは、電極部４における身体に対向する側とは反対側（以下、「表側」と記す。）の部分に、電極部４の下部から上方に向かって湾曲するように形成されている。
【００２３】
一方、図４に示すように、１対の電極部４のそれぞれにおける身体に対向する側（以下、「裏側」と記す。）の部分には、身体に電極部４を確実に接触させるための複数の突起４ｃが設けられている。なお、突起としては、図４に示されるのようなドーム状の突起の他に、たとえば波型の突起でもよい。波型の突起の場合には、皮膚との接触感も比較的よく、また、容易に表面を洗浄することができる。
【００２４】
送信部２は、図５および図６に示すように、身体に装着された衣類等１２の上部を挟み込んで送信部２を衣類等１２に保持しておく他の挟持部としての送信本体部２ａとフック２ｂを有している。フック２ｂは、送信部２における裏側の部分に、送信部２の上部から下方に向かって延在するように形成されている。
【００２５】
また、送信部２の表側の部分には、たとえばリチウム電池の交換を行うための蓋２ｃが配設されている。なお、フック２ｂは、後述するように、首から掛けられたリング状の紐を引っ掛けておく機能も有している。
【００２６】
上述した心拍検出装置では、特に、１対の電極部４のそれぞれには、身体に装着された衣類等の下部を挟み込むことができるように電極本体部４ａとフック４ｂが設けられ、一方、送信部２には衣類等の上部を挟み込むことができるように送信本体部２ａとフック２ｂが設けられている。
【００２７】
これにより、たとえば、図７に示すように、スポーツブラジャー８を着用しているような場合には、電極本体部４ａとフック４ｂによってスポーツブラジャー８の下部部分を挟み込むとともに、送信本体部２ａとフック２ｂによってスポーツブラジャー８の上部部分を挟み込むことで、圧迫感を与えることなく電極部４と送信部２とをスポーツブラジャー８に保持しておくことができる。
【００２８】
しかも、送信部２と各電極部４とはワイヤを介して接続されて送信部２と各電極部４とが分離されていることによって、スポーツの際中に電極部４に比べて重い送信部２が動いたとしても、電極部４が送信部２に合わせて動くことがなくなる。これにより、１対の電極部４を胸の所定の位置に確実に接触させることができて、所定の電位差が正確に検出されることになる。検出された電位差は送信部２へ送られて、心拍に関する信号として、たとえば腕に装着された受信部６に向けて送信される。
【００２９】
また、１対の電極部４と送信部２とを１つのケーシング内に配設する必要がないため、心拍検出装置１の軽量化も図ることができる。
【００３０】
なお、上述した心拍検出装置では、動いた場合に電極部４に比べて重い送信部２がスポーツブラジャー８から外れて落ちないように、適当な長さの首にかけた紐１４を送信部２のフック２ｂに掛けておくようにしてもよい。
【００３１】
（実施例２）
実施例１では、電極部および送信部を着用している衣類に直接保持する場合を例に挙げて説明したが、実施例２では、所定の装着ベルトに電極部および送信部を保持してこれを身体に装着する場合を例に挙げて説明する。
【００３２】
図８に示すように、装着ベルト１０には、電極部４に設けられたフック４ｂを受け入れる切れ込み１０ａが形成されている。電極部４を装着ベルトに装着する際には、図９に示すように、電極本体部４ａとフック４ｂによって装着ベルト１０の下部部分を挟み込むとともに、フック４ｂを切れ込み１０ａに挿入する。
【００３３】
一方、送信部２を装着ベルトに装着する際には、前述した場合と同様に、送信本体部２ａとフック２ｂによって装着ベルト１０の上部部分を挟み込む。このようにして１対の電極部４と送信部２が装着された装着ベルト１０を胸の周りに巻き付けることで、図１０に示すように、１対の電極部４を身体における所定の部位に保持しておくことができる。
【００３４】
上述した心拍検出装置では、１対の電極部４と送信部２とを直接衣類に保持させる代わりに装着ベルト１０に保持し、その装着ベルト１０が胸の周りに巻き付けられる。これにより、１対の電極部と送信部とが配設されたケーシングをベルトの一部として胸の周りに締め付ける場合と比べると、圧迫感を抑えて１対の電極部４を身体における所定の位置に確実に保持することができる。
【００３５】
なお、１対の電極部４は身体の電位を検出するために身体とは直接に接していることが望ましいが、電極部４と身体（肌）との間にスポーツブラジャーやスポーツシャツ等がある場合には、あらかじめ電極部４が接触する部分を濡らして皮膚との電気的な導通を図っておくことが望ましい。
【図面の簡単な説明】
【００３６】
【図１】本発明の実施例１に係る心拍検出装置を示す一斜視図である。
【図２】同実施例において、図１に示される心拍検出装置を示す他の斜視図である。
【図３】同実施例において、図１に示される心拍検出装置の電極部を示す部分斜視図である。
【図４】同実施例において、図１に示される心拍検出装置の電極部を示す他の部分斜視図である。
【図５】同実施例において、図１に示される心拍検出装置の送信部を示す部分斜視図である。
【図６】同実施例において、図１に示される心拍検出装置の送信部を示す他の部分斜視図である。
【図７】同実施例において、図１および図２に示される心拍検出装置を身体に装着した状態を示す正面図である。
【図８】本発明の実施例２に係る心拍検出装置の装着ベルトを示す一斜視図である。
【図９】同実施例において、図８に示される装着ベルトに心拍検出装置を保持した状態を示す部分正面図である。
【図１０】同実施例において、図９に示される心拍検出装置を身体に装着した状態を示す正面図である。
【図１１】従来の心拍検出装置を示す一斜視図である。
【図１２】図１１に示される心拍検出装置を示す部分拡大正面図である。
【図１３】図１１に示される心拍検出装置を示す他の部分拡大正面図である。
【符号の説明】
【００３７】
１  心拍検出装置、２  送信部、２ａ  送信本体部、２ｂ  フック、２ｃ  蓋、３  ワイヤ、４  電極部、４ａ  電極本体部、４ｂ  フック、４ｃ  突起、６  受信部、８  スポーツブラジャー、１０  装着ベルト、１０ａ  切れ込み、１２  衣類等、１４  紐。
【図１】
2005065937.tif 000003
【図２】
2005065937.tif 000004
【図３】
2005065937.tif 000005
【図４】
2005065937.tif 000006
【図５】
2005065937.tif 000007
【図６】
2005065937.tif 000008
【図７】
2005065937.tif 000009
【図８】
2005065937.tif 000010
【図９】
2005065937.tif 000011
【図１０】
2005065937.tif 000012
【図１１】
2005065937.tif 000013
【図１２】
2005065937.tif 000014
【図１３】
2005065937.tif 000015